(57)【要約】【課題】余分な電子部品実装予定部が設けられた遊技機用制御基板を、外部から目視可能な状態で被覆する透明な基板ケースにおいて、遊技機用制御基板に余分な電子部品実装予定部が存在しても、電子部品の付け忘れではないかと勘違いされることがないだけでなく、余分な電子部品実装予定部に不正部品を取り付けるという不正行為も効果的に防止する。【解決手段】余分な電子部品実装予定部４２が設けられた主制御基板２３を、外部から目視可能な状態で被覆する透明な基板ケース３５であって、余分な電子部品実装予定部４２の上方位置に、当該電子部品実装予定部４２が未使用状態である旨を表示する未使用表示部３９ｇを備える。【選択図】図６
2008067840.tif 000002
【特許請求の範囲】
【請求項１】
余分な電子部品実装予定部が設けられた遊技機用制御基板を、外部から目視可能な状態で被覆する透明な基板ケースであって、
前記余分な電子部品実装予定部の上方位置に、当該電子部品実装予定部が未使用状態である旨を表示する未使用表示部を備えることを特徴とする基板ケース。
【請求項２】
前記未使用表示部は、基板ケースを成形する金型内に選択的に組み込まれる入れ子によって基板ケースと同時成形されることを特徴とする請求項１記載の基板ケース。
【請求項３】
余分な電子部品実装予定部が設けられた遊技機用制御基板を、外部から目視可能な状態で被覆する透明な基板ケースであって、
前記余分な電子部品実装予定部の対向位置に、当該電子部品実装予定部と基板ケース内面との間の距離を狭くすることによって、当該電子部品実装予定部に対する電子部品の実装を実質的に不可能にする実装規制凸部を備えることを特徴とする基板ケース。
【請求項４】
余分な電子部品実装予定部が設けられた遊技機用制御基板と、該遊技機用制御基板を外部から目視可能な状態で被覆する透明な基板ケースとを備える遊技機であって、
請求項１〜３のいずれかに記載の基板ケースを備えることを特徴とする遊技機。
【発明の詳細な説明】
【技術分野】
【０００１】
本発明は、余分な電子部品実装予定部が設けられた遊技機用制御基板を、外部から目視可能な状態で被覆する透明な基板ケースに関し、さらには、このような基板ケースを備えるパチンコ遊技機、スロットマシン等の遊技機に関する。
【背景技術】
【０００２】
近年、他機種への流用やリサイクルを行いやすいように様々な工夫がなされた遊技機用の制御基板が開発されている。例えば、特許文献１には、データの書き換えが可能なＰＬＤ（Programmable Logic Device）を実装した制御基板が開示されている。このような技術を用いることで、制御プログラム等のデータを書き換えることが可能となり、制御基板の他機種への流用やリサイクルを行いやすくなっている。しかしながら、遊技機の制御基板に対しては不正改造を試みる者が多く、ＰＬＤが実装された制御基板は、不正改造をされ難いような工夫が必要となっている。
【０００３】
また、近年、制御基板の他機種への流用やリサイクルを行いやすいようにする工夫として、電子部品を実装するための電子部品実装予定部を余分に設けた制御基板が提案されている。例えば、ＲＯＭを実装するためのＩＣソケットを余分に設け、データの容量が多い機種では、余分なＩＣソケットにもＲＯＭを実装することにより、データの容量が異なる機種間で同じ制御基板を流用することが可能になる。
【特許文献１】特開２００１−２４３１１７号公報
【発明の開示】
【発明が解決しようとする課題】
【０００４】
しかしながら、電子部品実装予定部を余分に設けた制御基板では、以下のような問題が発生する可能性がある。
（１）制御基板に未使用状態の電子部品実装予定部がある場合に、電子部品の付け忘れではないかと勘違いされる可能性がある。
（２）未使用状態の電子部品実装予定部が存在する正規の制御基板において、未使用状態の電子部品実装予定部に不正ＲＯＭ等の不正部品が取り付けられた場合に、熟練者でないと不正部品の取り付けを認識することが難しい。
【課題を解決するための手段】
【０００５】
本発明は、上記の如き実情に鑑みこれらの課題を解決することを目的として創作されたものであって、余分な電子部品実装予定部が設けられた遊技機用制御基板を、外部から目視可能な状態で被覆する透明な基板ケースであって、前記余分な電子部品実装予定部の上方位置に、当該電子部品実装予定部が未使用状態である旨を表示する未使用表示部を備えることを特徴とする。このようにすると、遊技機用制御基板に余分な電子部品実装予定部が存在しても、この電子部品実装予定部が未使用状態である旨が未使用表示部によって明確に表示されるので、電子部品の付け忘れではないかと勘違いされることがない。また、未使用表示部は、余分な電子部品実装予定部に不正部品を取り付けるという不正行為に対し、良好な抑止効果を発揮するだけでなく、仮に不正部品が取り付けられても、その発見や認識を容易することができる。
また、前記未使用表示部は、基板ケースを成形する金型内に選択的に組み込まれる入れ子によって基板ケースと同時成形されることを特徴とする。このようにすると、未使用表示部が形成される基板ケースの金型と、未使用表示部が形成されない基板ケースの金型を共通化し、製造コストの上昇を回避できる。
また、余分な電子部品実装予定部が設けられた遊技機用制御基板を、外部から目視可能な状態で被覆する透明な基板ケースであって、前記余分な電子部品実装予定部の対向位置に、当該電子部品実装予定部と基板ケース内面との間の距離を狭くすることによって、当該電子部品実装予定部に対する電子部品の実装を実質的に不可能にする実装規制凸部を備えることを特徴とする。このようにすると、遊技機用制御基板に余分な電子部品実装予定部が存在しても、当該電子部品実装予定部に対する電子部品の実装が実装規制凸部によって規制された状態となっているので、電子部品の付け忘れではないかと勘違いされることがないだけでなく、余分な電子部品実装予定部に不正部品を取り付けるという不正行為も確実に防止することができる。
また、余分な電子部品実装予定部が設けられた遊技機用制御基板と、該遊技機用制御基板を外部から目視可能な状態で被覆する透明な基板ケースとを備える遊技機であって、上記のいずれかに記載の基板ケースを備えることを特徴とする。このようにすると、遊技機用制御基板に余分な電子部品実装予定部が存在しても、電子部品の付け忘れではないかと勘違いされることがないだけでなく、余分な電子部品実装予定部に不正部品を取り付けるという不正行為も効果的に防止することができる。
【発明の効果】
【０００６】
上記のように構成された本発明によれば、余分な電子部品実装予定部が設けられた遊技機用制御基板を、外部から目視可能な状態で被覆する透明な基板ケースにおいて、遊技機用制御基板に余分な電子部品実装予定部が存在しても、電子部品の付け忘れではないかと勘違いされることがないだけでなく、余分な電子部品実装予定部に不正部品を取り付けるという不正行為も効果的に防止することができる。
【発明を実施するための最良の形態】
【０００７】
［パチンコ遊技機の全体構成］
次に、本発明の実施形態について、図面に基づいて説明する。図１及び図２において、１はパチンコ遊技機（遊技機）であって、該パチンコ遊技機１は、パチンコ島に固定される外枠２に対して、開閉自在に取り付けられている。パチンコ遊技機１の側方隣接位置には、台間玉貸し機３が並設され、この台間玉貸し機３に、現金又はプリペイドカードを投入することにより、台間玉貸し機３又はパチンコ遊技機１から遊技球が貸し出され、遊技球を用いたパチンコ遊技が可能になる。
【０００８】
パチンコ遊技機１の正面部は、遊技球が発射される遊技盤４と、その前方を覆う開閉自在なガラス枠５と、遊技球を貯留する上皿６と、上皿６の余剰球を貯留する下皿７と、遊技球の発射操作を行う発射ハンドル８と、台間玉貸機３に遊技球の貸出指示を行う貸出操作部９と、効果音を出力するスピーカ１０と、遊技者によって操作される演出用の操作スイッチＳとを備えており、また、パチンコ遊技機１の背面部は、払出用の遊技球を貯留する遊技球タンク１１と、遊技球タンク１１内の遊技球を上皿６に払い出す賞球払出装置１２と、遊技球を発射する発射モータ１３と、後述する各種の基板とを備えている。
【０００９】
図３に示すように、遊技盤４には、始動口１４、大入賞口１５、入賞口（図示せず）、ゲート（図示せず）、アウト口１６、遊技釘１７などが配置されており、遊技盤４に発射された遊技球は、遊技釘１７によって各口１４〜１６に誘導される。また、遊技盤４には、特別図柄表示装置１８、演出図柄表示装置１９、普通図柄表示装置２０などの表示装置が配置されている。特別図柄表示装置１８は、特別図柄を形式的に変動表示する表示装置であり、例えば、７セグＬＥＤや複数のＬＥＤで構成される。演出図柄表示装置１９は、特別図柄に対応した演出図柄を変動表示する表示装置であり、例えば、液晶パネル、リールユニットなどで構成され、演出図柄変動表示の他、リーチ予告演出表示、スーパーリーチ演出表示、大当り演出表示などを行う。
【００１０】
［パチンコ遊技機の基本動作］
上皿６に遊技球が貯留された状態で発射ハンドル８を回し操作すると、遊技盤４に向けて遊技球が発射される。発射された遊技球が始動口１４や入賞口（図示せず）に入賞した場合は、所定個数の遊技球が賞球として払い出される。また、遊技球がゲート（図示せず）を通過したときは、普通図柄表示装置２０において普通図柄の変動表示が行われ、その停止図柄が所定の当り図柄である場合は、始動口１４に設けられる普通電動役物１４ａが所定時間にわたって開放動作される。また、遊技球が始動口１４に入賞したときは、特別図柄表示装置１８及び演出図柄表示装置１９において特別図柄及び特別図柄に係る演出図柄の変動表示が行われ、これらの図柄が予め決められた当り配列で停止すると、遊技者が多くの遊技球を獲得可能な大当りモードとなる。
以下、大当りの開始、終了などを契機として切換えられるパチンコ遊技機１の各種遊技モードについて、図４を参照して説明する。
【００１１】
（１）通常遊技モード
このモードでは、特別図柄抽選における２段階の大当り確率のうち、低確率（例えば、１／３００）が適用される。また、このモードでは、普通図柄の抽選サイクルが長くなっている。
（２）大当りモード
このモードは、特別図柄（演出図柄）が予め決められた当り配列で停止したときに実行され、大入賞口１５に設けられる特別電動役物１５ａの開放動作が行われる。この開放動作は、所定時間の経過（例えば、３０秒）又は所定個数の入賞（例えば、１０球）を１ラウンドとし、所定のラウンド数（例えば、１５ラウンド）に亘って繰り返される。
（３）確率変動モード
このモードは、大当りモードが終了した後、所定の確率（例えば、１／２）で実行される。すなわち、特別図柄抽選の大当りには、大入賞口１５の開放動作後、特別図柄抽選の当選確率を低確率にする通常当りと、大入賞口１５の開放動作後、特別図柄抽選の当選確率を高確率にする確変当りとがある。例えば、大当り時の停止図柄が特定の確変図柄であったとき、確変当りとなる。そして、確率変動モードでは、大当り確率が高確率（例えば、１／３０）となり、また、普通図柄抽選の抽選サイクルが短く、しかも、普通電動役物１４ａの開放時間が長いため、持ち玉をほとんど減らすことなく、再び大当りを発生させることができる。
（４）時間短縮モード
このモードは、通常当りの大当りモードが終了した後に実行される。時間短縮モードでは、特別図柄抽選の大当り確率が低確率であるが、普通図柄抽選の抽選サイクルが短く、しかも、普通電動役物１４ａの開放時間が長いため、持ち玉をほとんど減らすことなく、遊技を継続することができる。ただし、このモードは、大当り終了後、特別図柄の変動回数が所定回数（例えば、１００回）となった時点で終了し、通常モードに切り換えられる。
【００１２】
［パチンコ遊技機の基板構成］
次に、パチンコ遊技機１の基板構成について、図５を参照して説明する。この図に示すように、パチンコ遊技機１は、少なくとも主基板２１と、該主基板２１からのコマンドに応じて、演出処理などを行う周辺基板２２とを備えている。本実施形態の主基板２１は、主制御基板２３、払出制御基板２４及び発射モータ制御基板２５を含み、周辺基板２２は、演出図柄表示制御基板２６、音声制御基板２７及びランプ制御基板２８を含んでいる。
【００１３】
払出制御基板２４には、玉切れスイッチ２９、払出センサ３０、払出モータ３１などが接続されており、主制御基板２３からの払出信号に応じて、遊技球の払い出しを行うほか、台間玉貸し機３からの貸出信号に応じて、遊技球の払い出しを行う。また、発射モータ制御基板２５には、発射スイッチ（ハンドル角センサ）３２、タッチセンサ３３、発射モータ１３などが接続されており、発射スイッチ３２及びタッチセンサ３３がＯＮのとき、発射モータ１３を駆動させる。
【００１４】
主制御基板２３には、入賞口（図示せず）に対する遊技球の入賞を検出する入賞口スイッチＳＷ１、始動口１４に対する遊技球の入賞を検出する始動口スイッチＳＷ２、ゲート（図示せず）における遊技球の通過を検出するゲートスイッチＳＷ３、大入賞口１５に対する遊技球の入賞を検出する大入賞口スイッチＳＷ４などのセンサ類と、普通電動役物１４ａや特別電動役物１５ａを開閉動作させるソレノイドＳＯＬなどのアクチュエータ類と、特別図柄表示装置１８、普通図柄表示装置２０などの表示デバイス類とが接続されている。そして、主制御基板２３は、上記各スイッチＳＷ１〜ＳＷ４の検出信号に応じて、特別図柄抽選処理（演出図柄抽選を含む）、特別図柄表示処理、コマンド送信処理、大入賞口開閉処理などを行う。
【００１５】
演出図柄表示制御基板２６には、演出図柄表示装置１９や操作スイッチＳが接続されており、主制御基板２３からのコマンドに応じて、演出図柄表示装置１９に演出図柄を変動表示させると共に、操作スイッチＳの操作に応じたスイッチ演出表示を行う。また、音声制御基板２７には、スピーカ１０が接続されており、主制御基板２３（又は演出図柄表示制御基板２６）からのコマンドに応じて、所定の演出音声をスピーカ１０から出音させる。また、ランプ制御基板２８には、発光表示ランプＬが接続されており、主制御基板２３（又は演出図柄表示制御基板２６）からのコマンドに応じて、発光表示ランプＬを点灯動作させる。
【００１６】
［基板ケース］
図６〜図８に示すように、上述した各種制御基板のうち、少なくとも主制御基板２３は、封印部３４を備える透明な基板ケース３５に収容した状態でパチンコ遊技機１の背面部に配置されている。基板ケース３５は、外部から目視可能な状態で主制御基板２３を被覆すると共に、主制御基板２３上の端子３６を外部に露出させた状態で封印部３４により封がされるように構成されており、外部に露出した端子３６は、ケーブル（図示せず）を介して、前述した他の制御基板、センサ、アクチュエータ、表示デバイスなどに電気的に接続されるようになっている。
【００１７】
主制御基板２３は、長方形のプリント基板からなり、その一方の面には、ＣＰＵ、ＲＯＭ、ＲＡＭなどの電子部品（図示せず）や複数の端子３６が実装され、他方の面には、一方の面に実装された電子部品や端子３６を電気的に接続するプリント配線（図示せず）が施されている。また、主制御基板２３の角部には、基板固定ネジ３７やケース閉塞ネジ３８が挿入される貫通孔２３ａ、２３ｂが形成されている。
【００１８】
本実施形態の基板ケース３５は、主制御基板２３の一方の面を被覆する第一ケース３９と、主制御基板２３の他方の面を被覆する第二ケース４０とを備えて構成されている。
第一ケース３９は、透明な樹脂で一体成形されており、端子孔３９ａ、貫通孔３９ｂ、貫通孔３９ｃ、係合リング部３９ｄ、ヒンジピン係合部３９ｅ、本体固定部３９ｆなどを備えている。
端子孔３９ａは、主制御基板２３上に設けられる端子３６を外部に露出させる孔であり、主制御基板２３上に設けられる端子３６の個数に合わせて複数形成されている。
貫通孔３９ｂは、基板固定ネジ３７が挿入又は螺入される孔であり、貫通孔３９ｃは、ケース閉塞ネジ３８が挿入又は螺入される孔である。
係合リング部３９ｄは、封印部３４を構成するためのものであり、封印部３４の封印可能回数に応じて複数形成されている。
ヒンジピン係合部３９ｅは、基板ケース３５を開閉する際に、第二ケース４０の回動支点となる部分である。
本体固定部３９ｆは、取り付けピン（図示せず）を介してパチンコ遊技機本体に固定される部分である。
【００１９】
第二ケース４０も、透明な樹脂で一体成形されており、貫通孔４０ａ、ボス部４０ｂ、ヒンジピン４０ｃ、本体係合部４０ｄなどを備えている。
貫通孔４０ａは、ケース閉塞ネジ３８が挿入又は螺入される孔であり、第一ケース３９に形成される貫通孔３９ｃの位置と対応している。
ボス部４０ｂは、封印部３４を構成するためのものであり、第一ケース３９に形成される係合リング部３９ｄの位置と対応するように複数形成されている。
ヒンジピン４０ｃは、第一ケース３９のヒンジピン係合部３９ｅに係合され、基板ケース３５を開閉する際に、第二ケース４０の回動支点となる部分である。
本体係合部４０ｄは、パチンコ遊技機本体に係合保持される部分である。
【００２０】
次に、基板ケース３５に対する主制御基板２３の組み込み手順について説明する。
まず、第一ケース３９に主制御基板２３を収め、基板固定ネジ３７を用いて、主制御基板２３を第一ケース３９に固定する。
次に、第一ケース３９のヒンジピン係合部３９ｅに第二ケース４０のヒンジピン４０ｃを係合させ、ここを回動支点として第二ケース４０を閉塞操作する。
次に、ケース閉塞ネジ３８を第二ケース４０側から第二ケース４０及び主制御基板２３の貫通孔４０ａ、２３ｂを介して、第一ケース３９の貫通孔３９ｃに螺込む。これにより、第一ケース３９と第二ケース４０が一体的に固定され、基板ケース３５が閉塞状態に保持される。
次に、封印部３４にて封印を行う。この封印は、第一ケース３９の係合リング部３９ｄを介して、第二ケース４０のボス部４０ｂに封印ネジ４１を螺込むことにより行われる。この封印ネジ４１は、螺込み方向への回し操作のみが許容される特殊ネジであり、封印後は、係合リング部３９ｄの基端部を切断しない限り、基板ケース３５の開放が困難になる。つまり、封印部３４の開封は、基端部の切断という痕跡が残るようになっている。
そして、封印された基板ケース３５は、本体固定部３９ｆ及び本体係合部４０ｄを介してパチンコ遊技機本体に取り付けられる。
【００２１】
［未使用表示部］
図６に示すように、本実施形態の主制御基板２３には、他機種への流用やリサイクルを容易にすべく、電子部品を実装するための電子部品実装予定部４２が余分に設けられている。具体的には、ＲＯＭを実装するためのＩＣソケットが余分に設けられており、データの容量が多い機種では、余分なＩＣソケットにもＲＯＭを実装することにより、データの容量が異なる機種間で同じ主制御基板２３を流用することが可能になる。尚、本実施形態では、余分な電子部品実装予定部４２がＩＣソケットであり、余分な電子部品実装予定部４２に実装される電子部品がＲＯＭであるが、余分な電子部品実装予定部４２や、ここに実装される電子部品は、上記のものに限定されない。例えば、余分な電子部品実装予定部４２は、ＲＯＭ以外の電子部品を実装するソケットであってもよいし、制御基板のプリント配線上に形成された実装孔であってもよい。
【００２２】
図６及び図７に示すように、本発明の第一実施形態に係る基板ケース３５は、余分な電子部品実装予定部４２が設けられた主制御基板２３を外部から目視可能な状態で被覆するにあたり、第一ケース３９に未使用表示部３９ｇを備えている。この未使用表示部３９ｇは、基板ケース３５を閉塞した状態で、余分な電子部品実装予定部４２の上方に位置し、当該電子部品実装予定部４２が未使用状態である旨を表示する。例えば、未使用表示部３９ｇに、「このＩＣソケットは、未使用です。もし、電子部品が実装されていたら、不正の可能性があります。」などの凹凸文字列を形成し、その下方にある電子部品実装予定部４２が未使用状態である旨を表示する。
【００２３】
基板ケース３５をこのように構成すると、主制御基板２３に余分な電子部品実装予定部４２が存在しても、この電子部品実装予定部４２が未使用状態である旨が未使用表示部３９ｇによって明確に表示されるので、電子部品の付け忘れではないかと勘違いされることがない。また、未使用表示部３９ｇは、余分な電子部品実装予定部４２に不正部品を取り付けるという不正行為に対し、良好な抑止効果を発揮するだけでなく、仮に不正部品が取り付けられても、その発見や認識を容易することができる。
【００２４】
未使用表示部３９ｇは、基板ケース３５と別々に形成（例えば、未使用表示シールとして形成）し、しかる後、基板ケース３５に取り付けてもよいが、基板ケース３５と同時形成することが好ましい。例えば、基板ケース３５を成形する金型内に選択的に組み込まれる入れ子によって、未使用表示部３９ｇを基板ケース３５と同時成形する。このようにすると、未使用表示部３９ｇと、基板ケース３５を別々に製造する場合に比べ、製造コストを抑えることができ、しかも、入れ子を用いて成形すれば、未使用表示部３９ｇが形成される基板ケース３５の金型と、未使用表示部３９ｇが形成されない基板ケース３５の金型を共通化することができる。
【００２５】
［第二実施形態］
次に、本発明の第二実施形態に係る基板ケース３５Ｂについて、図９及び図１０を参照して説明する。但し、前記実施形態と共通の構成については、前記実施形態と同じ符号を付け、前記実施形態の説明を援用する。
【００２６】
図９及び図１０に示すように、第二実施形態の基板ケース３５Ｂは、未使用表示部３９ｇの代わりに、実装規制凸部３９ｈを備える点が第一実施形態の基板ケース３５と相違している。実装規制凸部３９ｈは、第一ケース３９の内面において、余分な電子部品実装予定部４２と対向する位置に突出状に形成されており、当該電子部品実装予定部４２と第一ケース３９の内面との間の距離Ｌを狭くすることによって、当該電子部品実装予定部４２に対する電子部品の実装を実質的に不可能にする。
【００２７】
基板ケース３５Ｂをこのように構成すると、主制御基板２３に余分な電子部品実装予定部４２が存在しても、当該電子部品実装予定部４２に対する電子部品の実装が実装規制凸部３９ｈによって規制された状態となっているので、電子部品の付け忘れではないかと勘違いされることがないだけでなく、余分な電子部品実装予定部４２に不正部品を取り付けるという不正行為も確実に防止することができる。
【図面の簡単な説明】
【００２８】
【図１】パチンコ遊技機の正面図である。
【図２】パチンコ遊技機の背面図である。
【図３】遊技盤の正面図である。
【図４】パチンコ遊技機における遊技モードの遷移を示すフローチャートである。
【図５】パチンコ遊技機の基板構成を示すブロック図である。
【図６】第一実施形態に係る基板ケースの分解斜視図である。
【図７】第一実施形態に係る基板ケースの第一ケースを示す平面図である。
【図８】第一実施形態に係る基板ケースの第二ケースを示す平面図である。
【図９】第二実施形態に係る基板ケースの分解斜視図である。
【図１０】第二実施形態に係る基板ケースの部分断面図である。
【符号の説明】
【００２９】
１      パチンコ遊技機
２３    主制御基板
３５    基板ケース
３９    第一ケース
３９ｇ  未使用表示部
３９ｈ  実装規制凸部
４０    第二ケース
４２    電子部品実装予定部
【図１】
2008067840.tif 000003
【図２】
2008067840.tif 000004
【図３】
2008067840.tif 000005
【図４】
2008067840.tif 000006
【図５】
2008067840.tif 000007
【図６】
2008067840.tif 000008
【図７】
2008067840.tif 000009
【図８】
2008067840.tif 000010
【図９】
2008067840.tif 000011
【図１０】
2008067840.tif 000012